(57)【要約】【課題】  屋根面の棟部に沿って建物の前妻と後妻間に渡って配管される散水管が各区間において、それぞれその散水量を増減したり、遮断することのできる散水装置を提供すること。【解決手段】  屋根面の棟部に沿って建物の前妻と後妻間に渡って配管され、一端に送水管が接合され、他端が閉塞されて成る主管１と、該主管１に対して複数個所で連通孔が直角に配設される支管２と、各支管２に前記主管１と平行に接合され、多数の噴出孔７が開口された複数の散水管３と、各散水管３のそれぞれ入水口側に設けられて水量を調整する水量調整弁４とから成る。  このほか、前記散水管３に、各散水管３の支管２への取付け区間に渡って散水する補助散水管３１をＬ形に接合したものや、前記支管２が、主管１に接合される丁字継手８と、散水管３に接合される丁字継手８と両丁字継手８に接合される接合管１０とから成るもので提供される。【選択図】  図１
2007284901.tif 000002
【特許請求の範囲】
【請求項１】
屋根面の棟部に沿って建物の前妻と後妻間に渡って配管され、一端に送水管が接合され、他端が閉塞されて成る主管と、該主管に対して複数個所で連通孔が直角に配設される支管と、各支管に前記主管と平行に接合され、多数の噴出孔が開口された複数の散水管と、各散水管のそれぞれ入水口側に設けられて水量を調整する水量調整弁とから成る散水装置。
【請求項２】
前記散水管に、各散水管の支管への取付け区間に渡って散水する補助散水管をＬ形に接合して成る請求項１記載の散水装置。
【請求項３】
前記支管が、主管に接合される丁字継手と、散水管に接合される丁字継手と、両丁字継手に接合される接合管とから成る請求項１又は２記載の散水装置。
【発明の詳細な説明】
【技術分野】
【０００１】
本発明は、一般家屋や栽培ハウス等の屋根や外面に取り付ける散水装置に関する。
【背景技術】
【０００２】
屋根面を所要領域に分割し、各領域毎に散水ノズルと電磁弁を所要に配置して屋根面を冷却する発明が、特開２００１−４９８０６号公報（特許文献１）に提案され、また、屋根用融雪装置として特開平１１−３３６３７２号公報（特許文献２）に噴出孔を上向きに多数形成した散水管を屋根の頂部側に架設し、該散水管に対面させて飛散用反射体を構成した融雪技術が提案され、このほか、屋根の上に散水パイプを設置しそれぞれの散水パイプにノズル穴を設け、ノズル穴より散水・吐出して屋根に降る雪を融解させる技術が、実用新案登録第３１０３９１６号（特許文献３）に提案されている。
前記特許文献１に提案された技術は、電磁弁や散水ノズルを要するなどでコストが嵩み、散水する給水管を屋根の棟から軒先にかけて縦方向に多数配列するものであるから各列における上下方向に散水量のむらがあっても流水面が同一であるから冷却にはさほど影響を及ぼさないが設備コストを多く要する点で問題があり、特許文献２、３の技術は、散水管や散水パイプに送水される水は送水側手前と奥側では水の出にむらが生ずる上、散水管や散水パイプの送水路上の任意の区間で送水を抑止したり送水量に差異を設けることができないものである。
【特許文献１】特開２００１−４９８０６号公報
【特許文献２】特開平１１−３３６３７２号公報
【特許文献３】実用新案登録第３１０３９１６号
【発明の開示】
【発明が解決しようとする課題】
【０００３】
本発明は上記に鑑みて、屋根面の棟部に沿って建物の前妻と後妻間に渡って配管される散水管が各区間においてそれぞれその入水量（散水量）を増減したり遮断することのできる散水装置を提供する。
【課題を解決するための手段】
【０００４】
上記課題を解決する請求項１に記載した散水装置は、屋根面の棟部に沿って建物の前妻と後妻間に渡って配管され、一端に送水管が接合され、他端が閉塞されて成る主管と、該主管に対して複数個所で連通孔が直角に配設される支管と、各支管に前記主管と平行に接合され多数の噴出孔が開口された複数の散水管と、各散水管のそれぞれ入水口側に設けられて水量を調整する水量調整弁とから成る。
請求項２に記載した発明は請求項１に記載した散水装置において、
前記散水管に、各散水管の支管への取付け区間に渡って散水する補助散水管をＬ形に接合して成る。
請求項３に記載した発明は請求項１又は２に記載した散水装置において、
前記支管が、主管に接合される丁字継手と、散水管に接合される丁字継手と、両丁字継手に接合される接合管とから成る。
【発明の効果】
【０００５】
本発明の請求項１における散水装置は、屋根の棟部に沿う方向で所要区間毎の散水管への入水量を独立して調整できるから送水側から端末にかけてきめ細かに散水でき、ランニングコストが経済的である上、請求項２の散水装置は、支管への散水管の取付け区間（無散水領域）にも散水でき、しかも、補助散水管を接合する丁字継手にも噴出孔が開口されるから、散水しようとすれば各区間毎の散水は万遍無くなされて途切れることがない。さらに、請求項３の散水装置では、素人でも組み立てられて設置され或いは解体撤去できる効果がある。
【発明を実施するための最良の形態】
【０００６】
本発明における主管は、単位長さのものにして支管を接着接合するものから、中間部又は／及び端部に支管を一体に接合したものなどで提案され、補助散水管は直接散水管にＬ形に接合されるものから、丁字継手とエルボを介して散水管に接合されるものなどである。また、水量調整弁の操作位置は取付け屋根面に平行方向であったり、垂直方向とするなど各様に選択される。
【実施例】
【０００７】
本発明を実施例により説明すると、図１に示すように、塩化ビニル樹脂製（以下、単に塩ビ製と略称する。）の所要径、所要本数の主管１と、主管１に接合される塩ビ製の支管２と、支管２に接合される塩ビ製の所要径、所要本数の散水管３と、各散水管３のそれぞれ入水口側に接合される水量調整弁４とから成り、左端部に配設される主管１には継手５を介して送水管６が接合され、右端部では支管２の端部が閉塞されて成る。
このように配設される散水管３には、図２に示すように下向き（屋根面に向けて）に30mm間隔で直径1.5mm噴出孔７が開口され、主管1と散水管３とを接合する支管２は一対の丁字継手８と、その垂直部９において内部に嵌入されて両者に接合され連通孔２５を形成する接合管１０とから成り、主管１は図３に示すように、一方の丁字継手８の水平部１１に直接水密的に接合されて右端では水平部１１の外端が閉塞され、散水管３は図４に示すように、他方の丁字継手８の水平部１１に内設される水量調整弁４を介して接合される。
したがって、左端部の散水管３はその右方で水量調整弁４によって入水量が任意に制限され、左方はエルボ１２において閉塞され、右端部の散水管３はその左方で水量調整弁４によって入水量が任意に制限され、右方はエルボ１２において閉塞される。中間部に配設される散水管３はその左右両端側で水量調整弁４によって入水量が任意に制限されるから、各個の散水管３はそれぞれ独立して制限された散水状態を保持できる。
水量調整弁４の実施例を説明すると、図４に示すように、弁軸１３は丁字継手８においてその上端に蝶ナット状のツマミ１４が一体にされ、散水管３に連通する連通孔２５の内部ではその下端の小径軸部１５が軸支されるとともに、軸心を通って直径方向に、かつ連通孔２５の直径に渡って切り欠いた面には円盤状の弁体１６がビスとナットで接合され、その頭部１７はＯリング１８で水密的に丁字継手８の水平部１１に貫設された軸孔に内嵌され、その最大開弁度は水平部１１に埋設されるストッパー１９によって規制される。なお、上記の弁軸１３及びツマミ１４は実施例のように垂直軸でなく設置場所によってはその角度を変えることがある。噴出孔７もまた同様である。
したがって、頭部１７のツマミ１４を回せば弁軸１３が回り、弁体１６が開いて散水管３にはその開口状態に応じて入水され、入水量に応じて各噴出孔７より散水される。
本実施例ではツマミ１４の操作姿勢を垂直部９の軸心に直交する方向としたものであるが、この方向に限定するものではなく、垂直部９の軸心と平行な方向など適宜な位置に選択される。
【０００８】
図５に示した水量調整弁２０について説明すると、このものは前記の水量調整弁４とその弁構造は同一であるが、直接丁字継手８に構成するものではなく、単体の弁本体２１に弁軸１３の頭部１７をＯリング１８で水密的に軸支するとともに、その下端の小径軸部１５を連通孔２５の内周面で軸支し、弁軸１３の切り欠き面に接合された弁体１６の開き角度は弁本体２１の所要位置に立設したストッパー１９で位置決めされ、弁本体２１の右方の大径部２３には散水管３を内嵌する大径孔部２６を設けて連通孔２５に連通し、左方には丁字継手８の水平部１１に内嵌する小径部２２が設けられる。
この水量調整弁２０は図６に示すように、弁本体２１の左方の小径部２２が丁字継手８の水平部１１に内嵌され、右方の大径部２３の大径孔部２６に散水管３が内嵌されて使用される。なお、散水管３の配列側の丁字継手８（水平部１１が短尺）の左右に接合される水量調整弁２０はそれぞれストッパー１９の立設位置を左右にしたものであるが同一の水量調整弁２０を配設してもよく、その場合には右方のストッパー１９を正規の位置とすれば左方のストッパー１９は仮想線で示すものとなる。なお、上記のＯリング１８は弁軸１３回転を容易にするためには省略することができる。
【０００９】
図７に示す水量調整弁２４について説明すると、このものの弁構造も前記水量調整弁４、２０の弁構造と同一であるが、弁本体２１の形状が水量調整弁２０の形状と相違する。弁本体２１の左右に長さは若干相違するが内部に連通孔２５が貫通された同一径の小径部２２が配設され、図８に示すように、散水管３を配列する側の丁字継手８の水平部１１の一方（左方）に短尺側の小径部２２が内嵌接合され、長尺側の小径部２２が補助用の丁字継手２９の水平部１１の一方（右方）に内嵌接合されて使用される。補助用の丁字継手２９の水平部１１の他方には散水管３が接合され、その垂直部９に接合されるエルボ３０を介して端末が閉塞された所要長さの補助散水管３１が接合される。そして、支管２を構成する前記丁字継手８の水平部１１の他方（右方）には図５に示した水量調整弁２０の小径部２２が内嵌され、その大径部２３の大径孔部２６には散水管３が内嵌される。したがって、前記した両水量調整弁２０、２４間の無散水領域は前記の補助散水管３１による水の噴出で解消される。この場合の補助用の丁字継手２９には嵌入された散水管３共々所要の噴出孔７が開口される。図８に示した水量調整弁２４におけるストッパー１９は、図７に示されたストッパー１９の位置とは図８の水量調整弁２０のストッパー１９と整列するため対称位置に設けたものである。
【００１０】
以上の構成から成る散水装置Ａは図９に示すように、屋根面３２の棟部３３に沿って前妻と後妻間に渡って取付けられ、その取付けの際には適宜な取付け金具が用いられる。例えば金属板葺きの屋根では、図１０（ｃ）に示すように、たてはぜ葺のたてはぜ部３４に２枚の取付け板３５がボルト３６に図１０（ｂ）に示す板状の止めフック３７を伴ってナット３８で締結され、止めフック３７に図１０（ａ）に示すように散水装置Ａの主管１が掛け止めされる。平板葺きの場合では、図１１に示すように、一方の取付け板３５の楔部がはぜ折り部３９に差し込まれ、他方の取付け板３５と共に板状の止めフック４０が、一方の取付け板３５に立設された皿ビス４１とナット４２ではぜ折り部３９に接合され、同様に止めフック４０に散水装置Ａの主管１が掛け止めされる。
このようにして屋根面３２に取付けられた散水装置Ａは、各区間毎の散水管３からの散水状態が水量調整弁４、２０等によって独立して調整できるから、冬期の融雪の場合では積雪の多い屋根面の個所には散水量を多くし、積雪の少ない個所への散水量を少なく抑える。真夏の炎天下での屋根面の冷却では日陰の部分は散水量を抑え、日照りに曝される部分の散水量を多くするなど屋根面３２の状況によってきめ細かな散水ができる。
【００１１】
屋根の前妻と後妻間の長さの長い長屋根や背面側の屋根の融雪には図９の送水管６より分岐して人手の届く位置にて複数（４本）の分岐送水管を設け、そのうち２本を主管１に接続し、残り２本を背面側に設けた散水装置Ａの主管１に同じく接続して同様の散水と融雪効果をあげることができる。
本発明は塩ビ製の主管１と散水管３及び支管としての丁字継手８（水量調整弁４の組込みのものを含む）、接合管１０、水量調整弁２０、２４等、エルボ他に補助用の丁字継手２９や補助散水管３１、取付け金具等の組合わせから成るものであるから、素人でも日曜大工的に簡単に組み立てでき、軽量コンパクトに梱包されて提供できるから個人的な需要に対応でき実用上極めて有益である。なお、水源はホームポンプＰによる地下水や水道水であり、散水を調整する水量調整弁は本実施例で示したものに限定されるものではなく、小型の電磁弁やボール弁など各種の弁が使用され得る。また、支管２によって区分される主管１と散水管３とを適宜な接合バンドでしっかり保持したり、主管１へ送水する送水管６も適宜な取付け金具で屋根面に固定される。さらに、本発明の散水装置は軽量低コストで提供され得るから、骨格の弱い栽培ハウスや塩害を受ける施設には打って付けのものであり、経済的なランニングコストで降り積もる雪を逐一融雪するとともに周辺の雪も融雪できるからその効果は多大である。
【産業上の利用可能性】
【００１２】
本発明は、局部的に調整された散水によって冬期間の降雪時には融雪に使用され、夏期の炎天下では冷却に利用されるから産業上の利用範囲が広範であり、しかも、経済的なランニングコストで運転できるからその需要は大いに期待される。
【図面の簡単な説明】
【００１３】
【図１】本発明に係わる散水装置Ａの平面図。
【図２】図１のＡ−Ａ矢視拡大断面図。
【図３】主管１と散水管３を接合する支管２の部分平面図。
【図４】図３のＢ−Ｂ矢視拡大断面図。
【図５】水量調整弁２０の縦断面図。
【図６】水量調整弁２０を支管２に設けた状態の部分平面図。
【図７】水量調整弁２４の縦断面図。
【図８】水量調整弁２４の使用状態の説明用部分平面図。
【図９】本発明の散水装置Ａの使用状態の説明図。
【図１０】主管１の屋根面３２への取付け説明図で、（ａ）はその側面図、（ｂ）は止めフック３７の斜視図、（ｃ）は（ａ）のＣ−Ｃ矢視図。
【図１１】主管１の屋根面３２への他の取付け説明図。
【符号の説明】
【００１４】
１：主管
２：支管
３：散水管
４：水量調整弁
５：継手
６：送水管
７：噴出孔
８：丁字継手
９：垂直部
１０：接合管
１１：水平部
１２：エルボ
１３：弁軸
１４：ツマミ
１５：小径軸部
１６：弁体
１７：頭部
１８：Ｏリング
１９：ストッパー
２０：水量調整弁
２１：弁本体
２２：小径部
２３：大径部
２４：水量調整弁
２５：連通孔
２６：大径孔部
２９：丁字継手
３０：エルボ
３１：補助散水管
３２：屋根面
３３：棟部
３４：たてはぜ部
３５：取付け板
３６：ボルト
３７：止めフック
３８：ナット
３９：はぜ折り部
４０：止めフック
４１：皿ビス
４２：ナット
Ｐ：ホームポンプ
Ａ：散水装置
【図１】
2007284901.tif 000003
【図２】
2007284901.tif 000004
【図３】
2007284901.tif 000005
【図４】
2007284901.tif 000006
【図５】
2007284901.tif 000007
【図６】
2007284901.tif 000008
【図７】
2007284901.tif 000009
【図８】
2007284901.tif 000010
【図９】
2007284901.tif 000011
【図１０】
2007284901.tif 000012
【図１１】
2007284901.tif 000013